(57)【要約】【課題】発光手段の発光態様に惑わせることなく、遊技者に好適に特定情報を伝達できる遊技機を提供する。【解決手段】図３（Ａ）のタイミングｔ１〜ｔ２、ｔ４〜ｔ５で示されるように、デモ期間のうちの不正防止等画像およびのめり込み防止画像が表示されていない期間においてＬＥＤ５２は点滅することで発光態様が変化する一方で、タイミングｔ２〜ｔ４に示されるように、不正防止等画像およびのめり込み防止画像が表示されている期間においてＬＥＤ５２は消灯したままであり発光態様が変化しない。【選択図】図３
2019017947.tif 000002
【特許請求の範囲】
【請求項１】
遊技を行うことが可能な遊技機であって、
表示手段と、
発光手段と、
開始条件が成立してから終了条件が成立するまでの所定期間において、少なくとも前記表示手段と前記発光手段とを用いた特定演出を実行可能な特定演出実行手段とを備え、
前記表示手段は、前記所定期間における特定契機で特定情報を報知する報知画像を表示可能であり、
前記発光手段は、前記所定期間のうちの前記報知画像が表示されていない期間で発光態様が変化する一方で、前記報知画像が表示されている期間で前記発光態様が変化しない、遊技機。
【発明の詳細な説明】
【技術分野】
【０００１】
本発明は、遊技を行うことが可能な遊技機に関する。
【背景技術】
【０００２】
遊技機として、所定の賭数を設定し、スタート操作が行われたことに基づいて、複数種類の識別情報の可変表示が行われるスロットマシンや、遊技球などの遊技媒体を発射装置によって遊技領域に発射し、該遊技領域に設けられている入賞口などの始動領域に遊技媒体が入賞したときに複数種類の識別情報の可変表示が行われるパチンコ遊技機などがある。
【０００３】
このような遊技機として、遊技者が遊技機から離れるなどして実質的に遊技が行われない状態となってから所定時間が経過したときに客待ちモードに移行し、装飾ＬＥＤが客待ちモードに対応したパターンで点灯または点滅するとともに、表示装置において機種イメージデモ表示、不正禁止表示、企業ロゴ表示が行われるものがあった（たとえば、特許文献１）。
【先行技術文献】
【特許文献】
【０００４】
【特許文献１】特開２０１３−１８４００２号公報
【発明の概要】
【発明が解決しようとする課題】
【０００５】
しかしながら、特許文献１の遊技機の場合、客待ちモードにおいて、不正禁止表示や企業ロゴの表示といった特定情報を画面に表示している最中に装飾ＬＥＤが点滅するため、せっかくの特定情報の報知が発光手段である装飾ＬＥＤの点滅などによる演出によって埋没してしまい、遊技者に特定情報を効果的に伝達できない虞があった。
【０００６】
この発明は、かかる実情に鑑み考え出されたものであり、その目的は、発光手段の発光態様に惑わせることなく、遊技者に好適に特定情報を伝達できる遊技機を提供することである。
【課題を解決するための手段】
【０００７】
（１）  遊技を行うことが可能な遊技機（たとえば、スロットマシン、パチンコ遊技機）であって、
表示手段（たとえば、液晶表示器５１）と、
発光手段（たとえば、ＬＥＤ５２）と、
開始条件（たとえば、図３（Ａ）のｔ１：図柄の変動終了から１５秒後、図３（Ｂ）のｔ１：特定図柄の導出）が成立してから終了条件（たとえば、図３（Ａ）のｔ５および図３（Ｂ）のｔ５: 操作手段の操作に基づく遊技の開始）が成立するまでの所定期間（たとえば、図３（Ａ）のｔ１〜ｔ５のデモ期間、図３（Ｂ）のｔ１〜ｔ５の大当り遊技演出期間）において、少なくとも前記表示手段と前記発光手段とを用いた特定演出（たとえば、客待ちデモ演出、大当り遊技演出）を実行可能な特定演出実行手段（たとえば、メイン制御部４１からのコマンドに基づいてサブ制御部９１が客待ちデモ演出、大当り遊技演出を実行する処理）とを備え、
前記表示手段は、前記所定期間における特定契機（たとえば、図３（Ａ）のｔ２：デモ期間の開始から３９秒後）で特定情報（たとえば、不正防止等を注意喚起するための情報）を報知する報知画像（たとえば、図２（Ｂ）（ｂ）に示す不正防止等画像）を表示可能であり、
前記発光手段は、前記所定期間のうちの前記報知画像が表示されていない期間で発光態様が変化する一方で（たとえば、図３（Ａ）のｔ１〜ｔ２、ｔ４〜ｔ５に示すように、デモ期間のうちの不正防止等画像およびのめり込み防止画像が表示されていない期間においてＬＥＤ５２は点滅する）、前記報知画像が表示されている期間で前記発光態様が変化しない（たとえば、図３（Ａ）のｔ２〜ｔ４に示すように、不正防止等画像およびのめり込み防止画像が表示されている期間においてＬＥＤ５２は消灯したままである）、遊技機。
【０００８】
（２）  上記（１）の遊技機において、
前記発光手段は、前記表示手段の近傍に位置する（たとえば、図２（Ａ）に示すように、ＬＥＤ５２は液晶表示器５１の近傍に位置する）。
【０００９】
（３）  上記（１）または（２）の遊技機において、
前記発光手段は、前記所定期間のうちの前記報知画像が表示されていない期間で発光色が変化する一方で（たとえば、図３（Ｂ）のｔ２〜ｔ３に示すように、大当り遊技演出期間のうちの報知画像が表示されていない期間においてＬＥＤ５２は黄色、緑色、および赤色によって発光色が変化する）、前記報知画像が表示されている期間で発光色が変化しない（たとえば、図３（Ｂ）のｔ１〜ｔ２に示すように、大当り遊技演出期間のうちの報知画像（取り忘れ防止画像およびのめりこみ防止画像）が表示されている期間においてＬＥＤ５２は消灯したままである）。
【００１０】
（４）  上記（１）〜（３）のいずれかの遊技機において、
音出力手段（たとえば、スピーカ５３，５４）をさらに備え、
前記音出力手段は、前記所定期間のうちの前記報知画像が表示されていない期間で音を出力する一方で（たとえば、図３（Ａ）のｔ１〜ｔ２、ｔ４〜ｔ５に示すように、デモ期間のうちの不正防止等画像およびのめり込み防止画像が表示されていない期間においてスピーカ５３，５４から客待ちデモ演出音が出力される）、前記報知画像が表示されている期間で音を出力しない（たとえば、図３（Ａ）のｔ２〜ｔ４に示すように、不正防止等画像およびのめり込み防止画像が表示されている期間においてスピーカ５３，５４から音が出力されない）。
【００１１】
（５）  上記（１）〜（４）のいずれかの遊技機において、
前記報知画像は、静止画像（たとえば、図２（Ｂ）（ａ）〜（ｄ）に示す、のめり込み防止画像、不正防止等画像、取り忘れ防止画像、メーカーロゴ画像）である。
【００１２】
（６）  上記（１）〜（５）のいずれかの遊技機において、
前記表示手段は、
前記所定期間における第１契機（たとえば、図３（Ａ）のｔ３：デモ期間の開始から３９秒経過し、さらに不正防止等画像の表示から６秒後）で前記特定情報を報知する第１報知画像（たとえば、のめり込み防止画像）を表示可能であり、
前記所定期間における第２契機（たとえば、図３（Ｂ）のｔ３：大当り遊技中画面の表示の終了）で前記特定情報を報知する第２報知画像（たとえば、のめり込み防止画像）を表示可能であり、
前記第１契機で報知される前記第１報知画像と前記第２契機で報知される前記第２報知画像とで表示態様が異なる一方で（たとえば、図３（Ａ）のｔ３〜ｔ４で表示されるのめり込み防止画像は液晶表示器５１の画面中央に表示されるのに対し、図３（Ｂ）のｔ３〜ｔ４で表示されるのめり込み防止画像は液晶表示器５１の画面下部に大当り終了画像と取り忘れ防止画像を伴って表示され、両者で表示態様が異なる）、前記第１契機と前記第２契機とで前記発光手段の発光態様が同じである（たとえば、図３（Ａ）のｔ３〜ｔ４においてＬＥＤ５２は消灯したままであり、図３（Ｂ）のｔ３〜ｔ４においてＬＥＤ５２は消灯したままであり、両者で発光態様が同じである）。
【００１３】
（７）  上記（１）〜（６）のいずれかの遊技機において、
前記発光手段は、前記報知画像が表示されている期間においては、前記所定期間のうちの前記報知画像が表示されていない期間における発光態様よりも目立たない一定の発光態様で発光する（たとえば、図３（Ｂ）の大当り遊技演出期間のうちのｔ２〜ｔ３の大当り遊技中画面が表示されている期間においては、ＬＥＤ５２は黄色、緑色、および赤色によって発光色が変化するのに対して、ｔ４〜ｔ５のメーカーロゴ画像が表示されている期間においては、ＬＥＤ５２は青色で発光し、前者よりも後者の方が目立たない一定の発光態様で発光する）。
【００１４】
（８）  上記（１）〜（７）のいずれかの遊技機において、
前記発光手段は、前記報知画像が表示されている期間においては、前記所定期間のうちの前記報知画像が表示されていない期間における発光色とは異なる特定色（たとえば、メーカーロゴが表示されているメーカーの企業色である青色）による一定の発光態様で発光する（たとえば、図３（Ｂ）の大当り遊技演出期間のうちのｔ２〜ｔ３の大当り遊技中画面が表示されている期間においては、ＬＥＤ５２は黄色、緑色、および赤色によって発光色が変化するのに対して、ｔ４〜ｔ５のメーカーロゴ画像が表示されている期間においては、ＬＥＤ５２は黄色、緑色、および赤色とは異なる青色で発光する）。
【図面の簡単な説明】
【００１５】
【図１】本実施形態に係る遊技機の主な内部構成の一例を示す図である。
【図２】遊技機において特定演出が実行されている様子を示す図である。
【図３】特定演出の実行例を説明するためのタイミングチャートである。
【発明を実施するための形態】
【００１６】
本発明に係る遊技機１を実施するための形態を実施例に基づいて以下に説明する。
［遊技機１の主な内部構成］
図１は、本実施形態に係る遊技機１の主な内部構成の一例を示す図である。図１に示すように、遊技機１には、遊技の進行を制御するメイン制御部４１、所定の演出を制御するサブ制御部９１などが設けられている。特に、本実施の形態に関わる遊技機は、図示しない可変表示装置を備え、その可変表示装置で変動表示される図柄の表示結果次第で有利状態へ制御される。可変表示装置はメイン制御部４１またはサブ制御部９１によって制御される。
【００１７】
メイン制御部４１は、遊技の進行に関する処理を行い、図柄の変動表示結果に関する抽選を行う。メイン制御部４１には、各種スイッチが接続されている。メイン制御部４１には、スイッチ類の検出信号が入力される。
【００１８】
サブ制御部９１には、演出を行うための各種の制御を行うとともに、サブ制御部９１に接続された液晶表示器５１、ＬＥＤ５２、スピーカ５３，５４などの遊技部品の制御を行う。なお、図１は、あくまで一例であり、遊技機１の内部にはその他の構成も設けられている。
【００１９】
メイン制御部４１は、遊技の進行に応じて各種コマンドを送信する処理を行う。サブ制御部９１は、メイン制御部４１から送信されたコマンドの制御情報に基づいて演出の制御を行う。
【００２０】
［特定演出］
本実施の形態においては、サブ制御部９１は、特定演出を実行する。特定演出とは、たとえば、遊技者が遊技を行っていない客待ち状態の期間、あるいは遊技状態が遊技者にとって有利な状態にある期間に行われる演出である。特定演出には、たとえば、液晶表示器５１、ＬＥＤ５２、およびスピーカ５３，５４が用いられるが、その他の演出手段を用いて特定演出を行ってもよい。
【００２１】
図２は、遊技機１において特定演出が実行されている様子を示す図である。図２（Ａ），（Ｂ）は、共に遊技機１の正面図である。図２（Ａ），（Ｂ）に示すように、遊技機１には、液晶表示器５１、ＬＥＤ５２およびスピーカ５３，５４が少なくとも設けられている。ＬＥＤ５２は、液晶表示器５１の画面を取り囲むように、その近傍に設置されている。遊技機１は、たとえば、スロットマシンやパチンコ遊技機である。遊技機１がスロットマシンである場合には、可変表示装置としての複数のリールや、賭数を設定する操作手段、リールの変動を開始あるいは停止させる操作手段などの周知の構成が図２の構成に追加される。また、遊技機１がパチンコ遊技機の場合には、パチンコ玉を発射するための操作手段（打球操作ハンドル）や図柄を変動させる可変表示装置（液晶表示器５１と兼用であってもよい。）などの周知の構成が図２の構成に追加される。
【００２２】
遊技機１は、操作手段を操作して、遊技を開始させることが可能となる。たとえば、遊技機１がスロットマシンであれば、操作手段により賭数が設定されると遊技が開始し、リールを回転させる操作によって複数種類の図柄の変動表示が行われる。パチンコ遊技機であれば、打球操作ハンドルの回動操作をさせ、遊技球が始動入賞口へ入賞することによって遊技が開始し、図柄の変動表示が行われる。図柄の変動表示が終了して導出された表示結果次第で遊技者にとって有利な有利状態となる。以下、変動表示の表示結果のうち、有利状態を発生させる図柄を“特定図柄”という。
【００２３】
有利状態は、たとえば、スロットマシンにおいては、小役の当選確率が向上するボーナス（ビッグボーナス、ＢＢとも称する）、あるいは、遊技者にとって有利な操作手順を報知してナビが行われるＡＴなどである。また、パチンコ遊技機においては、遊技者にとって有利なラウンド遊技を所定回数実行可能となる大当り遊技状態である。以下、簡単のために、これらの有利状態を単に“大当り”、あるいは“大当り遊技状態”とも称する。
【００２４】
図２（Ａ）、（Ｂ）は共に、客待ち状態の期間に実行される特定演出の例を示す。特に図２（Ａ）は、液晶表示器５１にデモンストレーション画像（デモ画像）が表示されている様子を示し、図２（Ｂ）は、液晶表示器５１に遊技者に向けた報知画像が表示されている様子を示す。デモ画像は、たとえば、遊技機１の遊び方や演出などの機能を紹介する映像としての機能紹介ムービーである。図２（Ｂ）の「報知画像」から右方向に４つに分岐して延びるラインの先には、報知画像の例として（ａ）〜（ｄ）が示されている。このように、客待ち状態の期間では、液晶表示器５１にデモ画像あるいは報知画像が表示される。以下、客待ち状態の期間を単に“デモ期間”と称する。
【００２５】
特に注目すべき点は、図２（Ａ）のとおり、デモ画像が表示されている期間ではＬＥＤ５２が点滅するなどすると共にスピーカ５３，５４から演出音が出力される一方、図２（Ｂ）のとおり、デモ画像ではなく、報知画像が表示されている期間では、ＬＥＤ５２が消灯すると共にスピーカ５３，５４が音を発生しない点である。このように、デモ期間では、特定演出として、デモ画像および報知画像が表示され、ＬＥＤ５２およびスピーカ５３，５４による演出が行われる。ただし、デモ画像が表示されている期間と報知画像が表示されている期間とでは、ＬＥＤ５２およびスピーカ５３，５４による演出の態様が異なっている。なお、ここでは、後者の期間ではＬＥＤ５２およびスピーカ５３，５４による演出が行われない例を説明しているが、後者の期間では、前者の期間に比べてＬＥＤ５２およびスピーカ５３，５４による演出の程度が控え目なもの（点滅せずに特定色で発光するもの、音が小さいものなど）であってもよい。
【００２６】
［報知画像］
図２（Ｂ）の（ａ）〜（ｄ）に示す報知画像の例を説明する。報知画像とは、遊技者に対して各種の注意喚起を行うための情報を報知する画像である。
【００２７】
（ａ）  のめりこみ防止画像
のめりこみ防止画像は、遊技者に対して遊技機１への遊技に対してのめり込み過ぎることを防止するための画像であり、「パチンコ・スロットは適度に楽しむ遊びです。のめり込みに注意しましょう。」という文字と文字の周りを囲む画像とを含む。のめり込み防止画像には、文字の内容は同じであるが文字の周りを囲む画像や表示面積が異なる複数種類態様の画像が設けられている。このようなのめり込み防止表示により、遊技者に対して遊技にのめり込むことを抑制または注意、遊技者に対して遊技に大金を注ぎ込むことを抑制または注意が行われる。
【００２８】
（ｂ）  不正防止等画像
不正防止等画像は、「１８歳未満の遊技は法令により禁止されています。」という１８歳未満の遊技を禁止する注意喚起表示、「不正行為は犯罪です。」という不正行為を抑制するための注意喚起表示、「攻略法を装った詐欺にご注意ください。」という詐欺行為を抑制するための注意喚起表示との３種類を含む。これらの不正防止等画像は、同時に表示してもよく、異なるタイミングで表示してもよい。なお、その他の不正防止等画像として、たとえば、遊技機１の外枠等に可動式の役物を設けた場合に、当該可動式の役物の動きにより、けがをしないように注意するものを採用してもよい。
【００２９】
（ｃ）  取り忘れ防止画像
取り忘れ防止画像は、遊技に使用可能な遊技球などの遊技用価値の大きさを特定可能な情報として残高情報等が記録された遊技用記録媒体としてのプリペイドカード等の取り忘れに関するカード取り忘れ防止の表示としての画像である。取り忘れ防止画像は、「プリペイドカードの取り忘れや盗難にご注意ください。」という文字およびカードの排出を示す画像を含む。なお、カードではなく遊技に使用可能な遊技用価値の大きさを特定可能な情報として残高情報などが記録された遊技用記録媒体としてのコインなどの別の形状のものを対象とする取り忘れ防止画像を採用してもよい。
【００３０】
（ｄ）  メーカーロゴ画像
メーカーロゴ画像は、遊技機１の製造者を示すメーカーロゴ表示（製造者情報とも称する）の画像である。メーカーロゴ画像は、たとえば、メーカーの企業色で表示される。メーカーロゴ画像が表示されている期間においては、ＬＥＤ５２は、同様に企業色で発光する。このように、表示された内容と関連性のある発光態様でＬＥＤを発光させることで、表示内容に対する印象をより深めることができる。
【００３１】
なお、以上、説明した報知画像はすべて静止画像であるが、そのうちの一部あるいはすべてを動画像で構成してもよい。
【００３２】
［特定演出の実行タイミング］
図３は、特定演出の実行例を説明するためのタイミングチャートである。図３（Ａ）は、デモ期間において実行される特定演出の例を示す。また、図３（Ｂ）は、大当り遊技状態において実行される特定演出の例を示す。また、図３（Ａ）、（Ｂ）のそれぞれにおいて、横軸のｔは、事象の発生したタイミングを示し、縦軸は、液晶表示器５１の表示例、ＬＥＤ５２の発光有無および発光パターン、および、スピーカ５３，５４の出力の有無および出力パターンを示す。
【００３３】
［デモ期間において実行される特定演出］
図３（Ａ）を用いて、デモ期間において実行される特定演出を説明する。図３（Ａ）において、デモ期間はｔ１〜ｔ５である。デモ期間の開始条件は、遊技者による遊技が行われていないことである。具体的には、変動表示の結果が特定図柄以外となってから所定時間（本実施の形態では、１５秒）が経過するまでの間、遊技が行われない状態が継続したことである。デモ期間の終了条件は、操作手段による操作に基づく遊技者による遊技の開始である。遊技が開始されたか否かは、スロットマシンであれば、たとえば、賭数を設定する操作（ＢＥＴ操作。それ以外に、メダル投入、またはリプレイ入賞による自動ＢＥＴでもよい）が行われたか否かで判定することにより、また、パチンコ遊技機の場合には、たとえば、始動入賞口への入賞が検出されたか否かを判定することより、それぞれ判断可能である。なお、パチンコ遊技機の場合は、打球操作ハンドルの操作を検出したことを条件に、デモ期間を終了させてもよい。
【００３４】
ｔ１以前は、操作手段による操作に基づいて遊技が実行されている。このとき、液晶表示器５１には、たとえば、変動中の図柄などが表示される（図示省略）。また、ＬＥＤ５２は、通常時発光パターン（たとえば、特定色での点滅）で発光する。また、スピーカ５３，５４からは通常時演出音（たとえば、変動中に出力されるＢＧＭ）が出力される。
【００３５】
ｔ１において、特定演出の開始条件が成立する。すると、液晶表示器５１には、デモ画面が表示される。また、ＬＥＤ５２は、デモ中発光パターン（たとえば、通常時発光パターンとは異なる特定色での点滅）で発光する。また、スピーカ５３，５４からはデモ中演出音（たとえば、変動中に出力されるＢＧＭとは異なるＢＧＭ）が出力される。
【００３６】
液晶表示器５１にデモ画面が表示されてから３９秒経過したｔ２において、液晶表示器５１に不正防止等画像が表示される。また、不正防止等画像が表示されている間は、ＬＥＤ５２は、消灯した状態を継続する。また、スピーカ５３，５４は音が出力されない状態を継続する。
【００３７】
液晶表示器５１に不正防止等画像が表示されてから６秒経過したｔ３において、液晶表示器５１にのめりこみ防止画像が表示される。また、のめりこみ防止画像が表示されている間は、不正防止等画像が表示されている間と同様に、ＬＥＤ５２は、消灯した状態を継続する。また、スピーカ５３，５４は音が出力されない状態を継続する。
【００３８】
液晶表示器５１にのめりこみ防止画像が表示されてから６秒経過したｔ４において、液晶表示器５１では再びデモ画面が表示される。デモ画面が表示されている間のＬＥＤ５２の発光態様およびスピーカ５３，５４の音の出力態様は、ｔ１〜ｔ２でのデモ画面表示中と同じである。
【００３９】
このように、デモ期間のうちの不正防止等画像およびのめり込み防止画像が表示されていない期間においてスピーカ５３，５４から客待ちデモ演出音が出力される一方で、不正防止等画像およびのめり込み防止画像が表示されている期間においてスピーカ５３，５４から音が出力されない。
【００４０】
ここで、ｔ５において、遊技者により遊技が開始されると、客待ちデモ演出の終了条件が成立し、客待ちデモ演出は終了する。すると、ｔ５以降の液晶表示器５１、ＬＥＤ５２、およびスピーカ５３，５４の演出態様は、ｔ１以前のものと同様に遊技中に対応したものとなる。
【００４１】
図３（Ａ）では、ｔ５において遊技者による遊技の開始が検出される場合を説明しているが、仮に、ｔ４から遊技者による遊技の開始が検出されない状態が３９秒継続した場合には、デモ画像が不正防止画像に切り替わる。その後、遊技が開始されない限り、ｔ２〜ｔ３の期間長さと同じ期間の経過後に、その画像がのめりこみ防止画像に切り替わり、ｔ３〜ｔ４の期間長さと同じ期間の経過後に、その画像がデモ画像に切り替わることを繰り返す。それらの画像の切り替わり期間でのＬＥＤ５２およびスピーカ５３，５４の演出態様は、図３（Ａ）に示すような切り替わった画像に対応する態様となる。
【００４２】
［大当り遊技演出期間において実行される特定演出］
図３（Ｂ）を用いて、大当り遊技演出期間において実行される特定演出を説明する。図３（Ｂ）において、大当り遊技演出期間はｔ１〜ｔ５である。大当り遊技演出期間の開始条件は、変動表示の結果が特定図柄となったことである。大当り遊技演出期間の終了条件は、大当り遊技状態の終了である。ただし、大当り遊技状態の終了から所定の変動休止期間を経て次の変動表示が開始可能となるような遊技機であれば、大当り遊技演出期間は大当り遊技状態の終了後、変動休止期間が経過するまで継続する。すなわち、この場合の大当り遊技演出期間の終了条件は、変動休止期間の経過である。
【００４３】
図３（Ｂ）は、このように変動休止期間を経て大当り遊技演出期間が終了するケースを説明している。すなわち、ｔ１で変動表示の結果が特定図柄となり、大当り遊技演出期間が開始する。その後、ｔ３で大当り遊技状態が終了して変動休止期間に移行し、ｔ５で変動休止期間が終了し、これを以て、ｔ１から開始した大当り遊技演出期間が終了する。変動休止期間では、図３（Ｂ）に示すとおり、初めに大当り終了画面が表示され、続いてｔ４のタイミングでメーカーロゴの表示画面に切り替わる。
【００４４】
図３（Ｂ）のｔ１以前は、図柄の変動表示が実行される。このとき、液晶表示器５１には、たとえば、変動中の図柄などが表示される（図示省略）。また、ＬＥＤ５２は、通常時発光パターン（たとえば、特定色での点滅）で発光する。また、スピーカ５３，５４からは通常時演出音（たとえば、変動中に出力されるＢＧＭ）が出力される。
【００４５】
ｔ１において、液晶表示器５１には、大当りが開始したことを報知する大当り開始画面が表示される。さらに、大当り開始画面の下方には、取り忘れ防止画像およびのめりこみ防止画像が併せて表示される。大当り開始画面の表示開始タイミングと取り忘れ防止画像およびのめりこみ防止画像の表示開始タイミングとは同じであってもよく、後者が前者に遅れて表示されるものであってもよい。いずれにしても、取り忘れ防止画像およびのめりこみ防止画像が表示されている間は、ＬＥＤ５２は、消灯した状態を継続する。また、スピーカ５３，５４は音が出力されない状態を継続する。
【００４６】
大当り開始画面の表示から１０秒経過したｔ２において、大当り遊技状態に移行する。このとき、液晶表示器５１には、大当り遊技に移行したことを示す大当り遊技中画面が表示される。また、ＬＥＤ５２は、大当り中発光パターンで発光する。本実施の形態においては、大当たり発光パターンとして、黄色、緑色、および赤色の順で発光色を変化させて、これを繰り返す。また、スピーカ５３，５４からは大当り中演出音（たとえば、楽曲）が出力される。
【００４７】
大当り遊技状態が終了したｔ３において、液晶表示器５１には、大当り遊技が終了したことを示す大当り終了画面が表示される。さらに、大当り終了画面の下方には、大当り開始画面の表示時と同様に、取り忘れ防止画像およびのめりこみ防止画像が表示される。大当り終了画面の表示開始タイミングと取り忘れ防止画像およびのめりこみ防止画像の表示開始タイミングとは同じであってもよく、後者が前者に遅れて表示されるものであってもよい。いずれにしても、取り忘れ防止画像およびのめりこみ防止画像が表示されている間は、ＬＥＤ５２は、消灯した状態を継続する。また、スピーカ５３，５４は、音が出力されない状態を継続する。
【００４８】
大当り遊技状態が終了したｔ３からは図柄の変動表示が実行されない変動休止期間に突入する。この間は、スロットマシンであれば、仮に、スタートボタンを押してもリールは回転開始しない。また、パチンコ遊技機であれば、仮に、図柄を変動表示させるために必要な保留記憶が存在していたとしても、図柄は変動表示しない。変動休止期間はｔ３〜ｔ５まで継続する。変動休止期間のうち、大当り終了画面の表示から１０秒経過したｔ４において、液晶表示器５１の画面の中央部には、メーカーロゴ画像が表示される。その後、メーカーロゴ画像は、変動休止期間が終了するｔ５まで表示される。メーカーロゴ画像は、企業色（本実施の形態においては、青色）で表示される。また、メーカーロゴ画像の下方には、のめりこみ防止画像が表示される。また、メーカーロゴ画像が表示されている間は、ＬＥＤ５２は、企業色と同じ青色で点灯し、その状態を継続する。また、スピーカ５３，５４は、音が出力されない状態を継続する。
【００４９】
このように、大当り遊技中画面が表示されているｔ２〜ｔ３の期間においては、ＬＥＤ５２は黄色、緑色、および赤色によって発光色が変化するのに対して、メーカーロゴ画像が表示されているｔ４〜ｔ５の期間においては、ＬＥＤ５２は青色で発光し、前者よりも後者の方が目立たない一定の発光態様で発光する。
【００５０】
また、メーカーロゴ画像が表示されているｔ４〜ｔ５の期間において、ＬＥＤ５２は、企業色である青色で発光する。これに対して、大当り遊技中画面が表示されているｔ２〜ｔ３の期間において、ＬＥＤ５２は、黄色、緑色、および赤色によって発光色が変化する。すなわち、後者において、ＬＥＤ５２は、企業色とは異なる黄色、緑色、および赤色を用いて発光する。
【００５１】
メーカーロゴ画像およびのめりこみ防止画像の表示から２秒経過したｔ５において、変動休止期間が終了し、そのタイミングでこれらの報知画像の表示を終了する。報知画像の表示終了により、大当り遊技演出期間における特定演出は終了する。
【００５２】
ｔ５以降の液晶表示器５１の表示、ＬＥＤ５２の発光態様、スピーカ５３，５４の音の出力態様は、ｔ１以前のものと同様であり、新たな変動表示が開始すればそれに応じた演出がそれぞれによって行われる。
【００５３】
ここで、図３（Ａ）のデモ期間と図３（Ｂ）の大当り遊技演出期間とを演出の観点で比較する。まず、のめり込み防止画像を表示するタイミングを比較すると、デモ期間では、図３（Ａ）のｔ３に示すように、デモ期間が開始されてから３９秒経過しさらに不正防止等画像が表示されてから６秒後に表示されるのに対して、大当り遊技演出期間では、図３（Ｂ）のｔ１またはｔ３に示すように、大当り開始画面の表示タイミングまたは大当り終了画面の表示タイミング（つまり、遊技中画面の表示が終了したタイミング）で表示される。
【００５４】
また、図３（Ａ）のｔ３〜ｔ４で表示されるのめり込み防止画像は、液晶表示器５１の画面中央に表示されるのに対し、図３（Ｂ）のｔ３〜ｔ４で表示されるのめり込み防止画像は、液晶表示器５１の画面下部に大当り終了画像と取り忘れ防止画像を伴って表示され、両者で表示態様が異なる。その一方で、図３（Ａ）のｔ３〜ｔ４においてＬＥＤ５２は消灯したままであり、図３（Ｂ）のｔ３〜ｔ４においてＬＥＤ５２は消灯したままであり、両者で発光態様が同じである。
【００５５】
なお、図３（Ａ）のｔ３〜ｔ４で表示されるのめり込み防止画像よりも、図３（Ｂ）のｔ３〜ｔ４で表示されるのめり込み防止画像の表示を小さくして表示態様を異ならせてもよいし、表示色を変えるなどして表示態様を異ならせてもよい。
【００５６】
［主な効果］
本実施の形態においては、図３（Ａ）のｔ１〜ｔ２、ｔ４〜ｔ５で示したように、デモ期間のうちの不正防止等画像およびのめり込み防止画像が表示されていない期間において、ＬＥＤ５２は点滅することで発光態様が変化する一方で、ｔ２〜ｔ４に示されるように、不正防止等画像およびのめり込み防止画像が表示されている期間において、ＬＥＤ５２は消灯したままであり、発光態様が変化しない。このように、ＬＥＤ５２の発光態様に惑わされることなく、遊技者に好適に不正防止等およびのめり込み防止を注意喚起するための情報を伝達できる。
【００５７】
図２（Ａ）に示したように、ＬＥＤ５２を液晶表示器５１の近傍に位置させることで、ＬＥＤ５２による演出および液晶表示器５１による演出の相乗効果で、演出を多様にすることができる。
【００５８】
図３（Ｂ）のｔ２〜ｔ３に示したように、大当り遊技演出期間のうちの報知画像が表示されている期間において、ＬＥＤ５２は黄色、緑色、および赤色で発光色が変化する一方で、図３（Ｂ）のｔ１〜ｔ２に示したように、大当り遊技演出期間のうちの報知画像（取り忘れ防止画像およびのめりこみ防止画像）が表示されている期間において、ＬＥＤ５２は消灯したままである。このように、多彩な色彩で演出効果を高めつつも、遊技者に好適に不正防止等およびのめり込み防止を注意喚起するための情報を伝達できる。
【００５９】
図３（Ａ）のｔ１〜ｔ２、ｔ４〜ｔ５に示したように、デモ期間のうちの不正防止等画像およびのめり込み防止画像が表示されていない期間において、スピーカ５３，５４から客待ちデモ演出音が出力される一方で、図３（Ａ）のｔ２〜ｔ４に示したように、不正防止等画像およびのめり込み防止画像が表示されている期間において、スピーカ５３，５４から音が出力されない。このように、スピーカ５３，５４からの音の出力に惑わされることなく、遊技者に好適に不正防止等およびのめり込み防止を注意喚起するための情報を伝達できる。
【００６０】
図２（Ｂ）（ａ）〜（ｄ）に示した、のめり込み防止画像、不正防止等画像、取り忘れ防止画像、メーカーロゴ画像は、静止画像であるため、表示上の動きに惑わされることなく、のめり込み防止、不正防止等、および取り忘れ防止を注意喚起するための情報、ならびに、メーカーイメージを印象付けるための情報を遊技者に好適に伝達できる。
【００６１】
図３（Ａ）のｔ３〜ｔ４で表示されるのめり込み防止画像は液晶表示器５１の画面中央に表示されるのに対し、図３（Ｂ）のｔ３〜ｔ４で表示されるのめり込み防止画像は液晶表示器５１の画面下部に大当り終了画像と取り忘れ防止画像を伴って表示され、両者で表示態様が異なる。また、図３（Ａ）のｔ３〜ｔ４においてＬＥＤ５２は消灯したままであり、図３（Ｂ）のｔ３〜ｔ４においてＬＥＤ５２は消灯したままであり、両者で発光態様が同じである。このように、状況に応じた態様で不正防止等およびのめり込み防止を注意喚起するための情報を報知することを可能にしつつ、遊技者に好適に不正防止等およびのめり込み防止を注意喚起するための情報を伝達できる。
【００６２】
図３（Ｂ）の大当り遊技演出期間のうちのｔ２〜ｔ３の大当り遊技中画面が表示されている期間においては、ＬＥＤ５２は黄色、緑色、および赤色により発光色が変化するのに対して、ｔ４〜ｔ５のメーカーロゴ画像が表示されている期間においては、ＬＥＤ５２は青色で発光し、前者よりも後者の方が目立たない一定の発光態様で発光する。このように、ＬＥＤ５２の発光によって過度に演出を行うことがないため、遊技者対して、メーカーロゴへの注意をより喚起させることができる。
【００６３】
図３（Ｂ）の大当り遊技演出期間のうちのｔ２〜ｔ３の大当り遊技中画面が表示されている期間においては、ＬＥＤ５２は黄色、緑色、および赤色で発光色が変化するのに対して、ｔ４〜ｔ５のメーカーロゴ画像が表示されている期間においては、ＬＥＤ５２は黄色、緑色、および赤色とは異なるメーカーの企業色である青色で発光する。このように、ＬＥＤ５２が、メーカーロゴ画像が表示されている期間特有の発光態様で発光することで、遊技者にメーカーに対する印象をより強く持たせることができる。
【００６４】
［変形例］
以上、本発明における主な実施の形態を説明してきたが、本発明は、上記の実施の形態に限られず、種々の変形、応用が可能である。以下、本発明に適用可能な上記の実施の形態の変形例について説明する。
【００６５】
［遊技機について］
上述した遊技機１は、各々が識別可能な複数種類の識別情報を変動表示可能な可変表示部を複数備え、可変表示部を変動表示した後、可変表示部の変動表示を停止することで表示結果を導出し、複数の可変表示部の表示結果の組合せである表示結果組合せに応じて入賞が発生可能なスロットマシンであってもよい。上述した遊技機１は、各々が識別可能な複数種類の識別情報の変動表示の結果に応じて、遊技者にとって有利な大当り遊技状態に制御可能なパチンコ遊技機であってもよい。
【００６６】
［特定演出について］
本実施の形態においては、図３（Ａ）に示したように、デモ画面が表示されているときは、スピーカ５３，５４からはＢＧＭが出力される例について説明したが、これに限らず、楽曲やセリフを出力するものであってもよい。また、常に音が出力されるものに限らず、一部の期間において出力されるようなものであってもよい。
【００６７】
本実施の形態においては、図３に示したように、報知画像が表示されていないときのＬＥＤ５２の発光態様として、点滅や色の変化を例示したが、これに限らず、ＬＥＤごとに発光色が異なるものや、輝度が高いものであってもよい。また、報知画像が表示されているときのＬＥＤ５２の発光態様として、単一色による点灯および消灯を例示した。しかし、これに限らず、報知画像が表示されていないときの発光態様よりも目立たないものであれば何でもよい。たとえば、報知画像が表示されていないときと同様にＬＥＤごとに発光色が異なるようにさせるが、輝度を低くするようなものであってもよい。
【００６８】
本実施の形態においては、図２（Ｂ）（ｄ）に示したように、報知画像として、メーカーロゴ表示が行われるようにしたが、これに限らず、遊技機１の演出において登場するキャラクタ画像を表示させるようにしてもよい。この場合、キャラクタ画像が表示されている期間においては、キャラクタのイメージ色でＬＥＤ５２を発光させるようにする。
【００６９】
本実施の形態においては、図３に示したように、デモ画面の表示から３９秒後に報知画像をすぐに表示させるようにしている。しかし、これに限らず、すぐに報知画像を表示させずに、フェードインさせて徐々に報知画像を表示させるようにしてもよい。たとえば、薄い色から徐々に色を濃くしていき画像を表示させる。また、報知画像の表示を終了させるときに、フェードアウトさせて徐々に報知画像を消していくようにしてもよい。
【００７０】
本実施の形態においては、図３（Ｂ）のｔ１において、液晶表示器５１には、大当りが開始したことを報知する大当り開始画面が表示されるとともに、取り忘れ防止画像およびのめりこみ防止画像が表示されるようにした。しかし、これに限らず、大当り開始画面が表示されている間は、別の報知画像を表示させるようにしてもよいし、取り忘れ防止画像およびのめりこみ防止画像のうちのいずれかを表示させるようにしてもよいし、報知画像を表示させないようにしてもよい。また、ＬＥＤ５２を単一色で点灯させてそれを継続させるようにしてもよい。
【００７１】
また、図３（Ｂ）のｔ４において、液晶表示器５１にメーカーロゴ画像およびのめりこみ防止画像が表示されるようにした。しかし、これに限らず、その他の報知画像を表示させてもよく、複数の報知画像を同時に表示させてもよいし、別々に表示させてもよい。報知画像を別々に表示させる場合は、２秒ごとに報知画像を切り替えて表示させてもよい。
【００７２】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【００７３】
１  遊技機、４１  メイン制御部、９１  サブ制御部、５１  液晶表示器、５２  ＬＥＤ、５３，５４  スピーカ。
【図１】
2019017947.tif 000003
【図２】
2019017947.tif 000004
【図３】
2019017947.tif 000005